(57)【要約】【課題】駆動用半導体素子の耐圧を上げることなく、画面全体の輝度低下を抑えつつコントラストを向上することができる画像表示装置および画像表示方法を提供する。【解決手段】  各画素の位置において互いに交差して対向する複数のカソード電極２０および複数のゲート電極２１と、カソード電極２０にデジタル映像信号１０Ａに対応したカソード電圧１３Ａを印加するカソード電極駆動部１３と、ゲート電極２１にデジタル映像信号１０Ａにより表現される映像の明るさに応じた映像適応電圧１４Ａを印加するゲート電極駆動部１４を備える。【選択図】  図１
2006039246.tif 000002
【特許請求の範囲】
【請求項１】
行方向および列方向にマトリクス配置された画素を選択駆動することによって画像を表示する画像表示装置であって、
各画素の位置において互いに交差して対向する複数の第１の電極および複数の第２の電極と、
前記第１の電極に、映像信号に対応した画素電圧を印加する第１の電極駆動手段と、
前記第２の電極に、前記映像信号により表現される映像の明るさに応じた映像適応電圧を印加する第２の電極駆動手段と
を備えたことを特徴とする画像表示装置。
【請求項２】
前記映像適応電圧は、映像信号の輝度成分の平均値に基づいて決定される電圧である
ことを特徴とする請求項１に記載の画像表示装置。
【請求項３】
前記映像適応電圧は、予め設定された一定の第１の電圧から、前記輝度成分の平均値に応じて得られる第２の電圧を差し引いて得られる電圧である
ことを特徴とする請求項２に記載の画像表示装置。
【請求項４】
前記第２の電圧は、前記輝度成分の平均値を示す電圧に、予め外部より設定されたゲイン係数およびオフセットデータの少なくとも一方を加味して得られる電圧である
ことを特徴とする請求項３に記載の画像表示装置。
【請求項５】
第２の電極駆動手段は、１画面分の表示期間内において前記映像適応電圧を一定値に保つように制御する
ことを特徴とする請求項１に記載の画像表示装置。
【請求項６】
各画素の位置に対応して配置された電子放出源と、
前記第２の電極の、前記第１の電極とは反対側に対向配置されたアノード電極と
前記アノード電極に設けられた蛍光体層と
を備え、
前記第１の電極は、列方向に延設され、列方向に並ぶ１群の電子放出源に接続されたカソード電極であり、
前記第２の電極は、行方向に延設され、前記各電子放出源に対向した位置に電子通過用の孔を有するゲート電極である
ことを特徴とする請求項１に記載の画像表示装置。
【請求項７】
行方向および列方向にマトリクス配置された画素を選択駆動することによって画像を表示する画像表示方法であって、
各画素の位置において互いに交差して対向する複数の第１の電極および複数の第２の電極を設け、
前記第１の電極に、映像信号に対応した画素電圧を印加し、
前記第２の電極に、映像信号により表現される映像の明るさに応じた映像適応電圧を印加する
ことを特徴とする画像表示方法。
【発明の詳細な説明】
【技術分野】
【０００１】
本発明は、マトリクス状に配列された画素の選択駆動によって画像を表示するように構成された画像表示装置および画像表示方法に関する。
【背景技術】
【０００２】
近年、画像表示装置に使用される平面状のディスプレイパネルの一つとして、フィールドエミッションディスプレイ（電界放出型ディスプレイ：以下、ＦＥＤと呼ぶ。）と呼ばれるものが開発されている。このＦＥＤは、ブラウン管( ＣＲＴ) と同様に、電子放出源から真空中に放った電子を蛍光体層を配した発光面に衝突させて発光させることを原理とすることから、明るくてコントラストの高いフラットパネルディスプレイを実現することができる。ただし、ブラウン管では、通常、単一の電子放出源が発光面から十数〜数十ｃｍ離れた位置に配置されるのに対し、ＦＥＤでは発光面から数ｍｍ程度離れた位置に複数の電子放出源がマトリクス状に配置される点でその基本構造が異なる。
【０００３】
ここで、一般的なＦＥＤの基本構造とその動作についてより具体的に説明する。ＦＥＤは、電子放出源としての電界放出型カソードと、この電界放出型カソードと対向して設けられたゲート電極と、ゲート電極の、電界放出型カソードとは反対側に対向配置され蛍光体層が塗布されたアノード電極とを備える。電界放出型カソードは、例えば円錐形状を有するカソード素子（冷陰極素子）と、このカソード素子の底面側に設けられたカソード電極とにより構成される。対向配置されたカソード電極とゲート電極との間にゲートカソード間電圧Ｖｇｃを印加することによりカソード素子から電子を放出させ、アノード電極の蛍光体層に衝突させるようになっている。通常は、ゲート電極を行方向（Ｒｏｗ）配線とし、カソード電極を列方向（Ｃｏｌｕｍｎ）配線とする。これらの配線の各交差点にカソード素子を配置し、マトリクス状の画素配置とする。カソード電極はカソード電極駆動部に接続され、ゲート電極はゲート電極駆動部に接続される。これらの駆動部により、マトリクス配置された画素が以下のように駆動される。
【０００４】
すなわち、画素の駆動は、カソード電極駆動部から１行分の変調信号電圧Ｖｃｏｌを各カソード電極に一斉に与えるのに同期してゲート電極駆動部から対象行のゲート電極に選択信号としての走査信号電圧Ｖｒｏｗを印加することで行われる。この動作をすべての行について順次行うことにより、１画面分の表示が行われる。これにより、ゲート電極とカソード電極との間に、カソード電極を基準とする電位差（すなわち、ゲートカソード間電圧Ｖｇｃ（＝Ｖｒｏｗ−Ｖｃｏｌ）が生じ、それによってカソード素子から電子が放出される。放出された電子は、ゲート電極を通り抜け、高電圧ＨＶが印加されたアノード電極に引きつけられ、衝突する。このとき、衝突によって放出される電子のエネルギーにより蛍光体層が発光する。これにより、１画面の映像が表示される。
【０００５】
このようなＦＥＤに関する技術は、例えば特許文献１に開示されている。
【特許文献１】特開２００１−３２４９５５号公報
【発明の開示】
【発明が解決しようとする課題】
【０００６】
上記したように、一般にＦＥＤでは、ゲートカソード間電圧Ｖｇｃとカソード素子から放出される電子の量（電流）の関係（電子放出特性）を利用して映像を表示するようにしている。この電子放出特性は、ゲートカソード間電圧Ｖｇｃが、ある遮断電圧Ｖｔｈ以下になると発光に寄与する電子がほとんど放出されなくなり、逆に遮断電圧Ｖｔｈより大きくなると発光に寄与する電子が放出されるようになるという特徴を有する。通常、ＦＥＤでは、この特徴を利用して階調表示を行う。具体的には、低輝度の画素ほど、ゲートカソード間電圧Ｖｇｃを遮断電圧Ｖｔｈに近い値に設定し、高輝度の画素ほど、ゲートカソード間電圧Ｖｇｃを（遮断電圧Ｖｔｈを越える）より大きい値に設定する。最低輝度表示（いわゆる黒表示）は、ゲートカソード間電圧Ｖｇｃを遮断電圧Ｖｔｈに等しく設定することで実現される。
【０００７】
しかしながら、遮断電圧Ｖｔｈに等しいゲートカソード間電圧Ｖｇｃを印加して黒表示を行おうとした場合、発光に寄与する電子はほとんど放出されないが、実際にはわずかに電子が放出されることから、遮断電圧Ｖｔｈでは発光輝度を完全にゼロにすることはできない。このため、黒表示を行っている状態においても、完全な黒色を再現できず、見た目に黒色が浮いたような感じになり、コントラストが低下してしまう。
【０００８】
そこで、黒表示を行う場合の画素印加電圧（ゲートカソード間電圧Ｖｇｃ）を遮断電圧Ｖｔｈよりも幾分低く設定することにより、確実に電子放出を止める方法が考えられる。その具体的な方法としては、次の２つを挙げることができる。
（１）カソード電極に印加する電圧Ｖｃｏｌを上げる方法
（２）ゲート電極に印加する電圧Ｖｒｏｗを下げる方法
【０００９】
ところが、（１）のように、カソード電極に印加する電圧Ｖｃｏｌを上げると、カソード電極を駆動する半導体素子の耐圧も上げる必要があるが、一般に、半導体素子の耐圧向上は容易ではなく、コスト上昇の要因にもなる。また、（２）のように、ゲート電極に印加する電圧Ｖｒｏｗを下げると、あらゆる輝度レベルにおいてゲートカソード間電圧Ｖｇｃが小さくなってしまうので、定常的に画面全体の輝度が低下し、最高輝度表示（いわゆる白表示）が沈んだものとなってしまう。
【００１０】
本発明は、かかる問題点に鑑みてなされたものであり、その目的は、駆動用半導体素子の耐圧を上げることなく、画面全体の輝度低下を抑えつつコントラストを向上することができる画像表示装置および画像表示方法を提供することにある。
【課題を解決するための手段】
【００１１】
本発明の画像表示装置は、各画素の位置において互いに交差して対向する複数の第１の電極および複数の第２の電極と、第１の電極に映像信号に対応した画素電圧を印加する第１の電極駆動手段と、第２の電極に前記映像信号により表現される映像の明るさに応じた映像適応電圧を印加する第２の電極駆動手段とを備えたものである。
【００１２】
本発明の画像表示方法は、各画素の位置において互いに交差して対向する複数の第１の電極および複数の第２の電極を設け、第１の電極に映像信号に対応した画素電圧を印加する一方、第２の電極には、映像信号により表現される映像の明るさに応じた映像適応電圧を印加するようにしたものである。
【００１３】
ここで、「画素電圧」は、表示対象画素について与えられた映像信号電圧そのものを意味するほか、そのような映像信号電圧に何らかの処理（画像処理）を加えて得られる信号電圧をも含む概念である。「映像適応電圧」は、映像の明るさを表現する何らかの指標を表す電圧であり、映像の明るさに応じて変化する。ここでいう「指標」とは、Ｒ，Ｇ，Ｂの映像信号のうちの少なくとも１つの信号に基づく物理量を意味し、Ｒ，Ｇ，Ｂのうちのいずれか１つの信号のみであってもよいし、Ｒ，Ｇ，Ｂの重み付け和信号（αＲ＋βＧ＋γＢ；  但し、α，β，γは任意の係数）であってもよい。重み付け和信号としては、例えば、いわゆる輝度信号Ｙ（＝０．３Ｒ＋０．５９Ｇ＋０．１１Ｂ）や、単純和信号（＝Ｒ＋Ｇ＋Ｂ）がある。これらの物理量を「指標」として採用するに当たっては、画面内の
特定領域を対象として指標を決定するようにしてもよいし、あるいは、画面内の全画素についての平均値に基づいて指標を決定するようにしてもよい。「指標」として、１画面のうち一定以上の明るさの画素領域が占める割合を考慮して決定される物理量を採用することも可能である。
【００１４】
本発明の画像表示装置および画像表示方法では、第１の電極に映像信号に対応した画素電圧が印加され、第２の電極には、映像信号により表現される映像の明るさに応じた映像適応電圧が印加される。この結果、第１の電極と第２の電極との間には、画素電圧と映像適応電圧との差分電圧が印加される。映像適応電圧は、映像信号により表現される映像の明るさに応じて変化するため、第１の電極と第２の電極との間に印加される差分電圧もまた、映像の明るさに応じて変化する。この結果、映像の明るさに適応した画像表示が行われる。
【発明の効果】
【００１５】
本発明の画像表示装置および画像表示方法によれば、映像信号により表現される映像の明るさに応じた映像適応電圧を第２の電極に印加するようにしたので、駆動用の半導体素子の耐圧を上げることなく、画面全体の輝度低下を抑えつつコントラストを向上させることができる。
【発明を実施するための最良の形態】
【００１６】
以下、本発明の実施の形態について、図面を参照して詳細に説明する。
【００１７】
図１は、本発明の実施の形態に係る画像表示装置の概略構成を表したものである。なお、本実施の形態にかかる画像表示方法は、本実施の形態にかかる画像表示装置によって具現化されるので、以下、併せて説明する。
【００１８】
この画像表示装置は、画像を表示するための画像表示素子１と、この画像表示素子１を駆動させるための表示素子駆動部２とを備えている。図２は、この画像表示素子１を行方向（Ｘ軸）および列方向（Ｙ軸）に対して垂直な面での断面を表したものである。また、図３は、この画像表示素子１の一部分を拡大した斜視図を表したものである。なお、本実施の形態では、駆動方式としてパッシブマトリクスを用いた場合を例に説明する。また、以下の説明において、「上」とは、行方向（Ｘ軸）および列方向（Ｙ軸）に対して垂直な方向（Ｚ軸）の正の向きを指し、「下」とはＺ軸の負の向きを指す。
【００１９】
画像表示素子１は、Ｚ軸に垂直な面を持つ支持体２２の上にＹ軸方向に延在する複数のカソード電極２０を有する。カソード電極２０の上には抵抗層２３が形成されている（図２，図３）。支持体２２、カソード電極２０および抵抗層２３は、絶縁層２４により覆われている。画像表示素子１はまた、絶縁層２４の上に、Ｘ軸方向に延在する複数のゲート電極２１を有する。ここでは、カソード電極２０がｍ列分、ゲート電極２１がｎ行分配列されているものとする。ここで、ｍ，ｎは正の整数である。Ｚ軸方向から見て、これらの電極が交差する箇所が電子放出領域３３であり、個々の画素を構成する。電子放出領域３３におけるゲート電極２１および絶縁層２４には、それらを貫通する複数の孔３０が形成されており、その孔３０の底部の抵抗層２３の上にカソード素子２５が配置されている。カソード電極２０とカソード素子２５とは、抵抗層２３を介して電気的に接続されている。なお、支持体２２およびその上に形成された各要素をまとめてカソードパネル３２と称する（図２，図３）。
【００２０】
画像表示素子１はまた、ゲート電極２１の上方にカソードパネル３２と対向してアノード基板２６を備え、さらにこのアノード基板２６の下に、アノード電極２８を有する。アノード電極２８の下には、電子放出領域３３と対向する箇所に対応して、帯状の蛍光体層
２７が複数配置されている。隣接する帯状の蛍光体層２７の間は、ブラックマトリクス３５を構成する。蛍光体層２７は、Ｒ（赤）用の蛍光体層２７Ｒ、Ｇ（緑）用の蛍光体層２７ＧおよびＢ（青）用の蛍光体層２７Ｂからなる。これらの蛍光体層２７Ｒ，２７Ｇ，２７ＢはＹ軸方向に延在しており、かつＸ軸方向に２７Ｒ，２７Ｇ，２７Ｂの順に繰り返し配置されている。なお、アノード基板２６およびアノード基板２６下に形成された各要素をまとめてアノードパネル３１と称する。カソードパネル３２およびアノードパネル３１は、所定間隔をおいて対向配置されており、その間隙は、ほぼ真空状態に保たれている。
【００２１】
なお、画像表示素子１は、上述のように、蛍光体層２７として、２７Ｒ，２７Ｇおよび２７Ｂを用いることで、カラー表示を行うことが可能であるが、本実施の形態では、説明を簡略化するため、特にカラー表示における各色を区別することなく説明する。
【００２２】
図１に示したように、表示素子駆動部２は、Ａ／Ｄ変換部１０、映像信号処理部１１、制御信号生成部１２、カソード電極駆動部１３、ゲート電極駆動部１４および補正電圧生成部１５を有する。Ａ／Ｄ変換部１０は、図示しない映像信号ソースからのアナログ映像信号９Ａをデジタル映像信号１０Ａに変換し、これを映像信号処理部１１に供給するよためのものである。デジタル映像信号１０Ａは、水平同期信号１１Ｂおよび垂直同期信号１１Ｃを含む。なお、映像信号ソースから供給される映像信号がデジタル信号の場合には、Ａ／Ｄ変換部１０は不要である。
【００２３】
映像信号処理部１１は、制御信号生成部１２、カソード電極駆動部１３および補正電圧生成部１５に接続され、第ｎ行目の映像信号１１Ａをカソード電極駆動部１３へ入力すると共に、デジタル映像信号１０Ａから抽出した水平同期信号１１Ｂおよび垂直同期信号１１Ｃを制御信号生成部１２へ入力するようになっている。映像信号処理部１１はまた、画素（Ｃｉ，Ｒｊ）の映像信号１１Ｄを補正電圧生成部１５へ入力するようになっている。ここで、ｉ＝１〜ｍ，ｊ＝１〜ｎである。
【００２４】
制御信号生成部１２は、カソード電極駆動部１３、ゲート電極駆動部１４および補正電圧生成部１５に接続され、映像信号取込開始パルス１２Ａおよびカソード電極駆動開始パルス１２Ｂをカソード電極駆動部１３へ入力すると共に、ゲート電極駆動開始パルス１２Ｃをゲート電極駆動部１４へ入力するようになっている。制御信号生成部１２はまた、水平同期信号１２Ｄおよび垂直同期信号１２Ｅを補正電圧生成部１５へ入力するようになっている。
【００２５】
補正電圧生成部１５は、ゲート電極駆動部１４と接続されており、映像適応電圧１５Ａおよびゲート電極選択用シフトクロック１５Ｂをゲート電極駆動部１４へ入力するようになっている。カソード電極駆動部１３は、画像表示素子１に接続されており、カソード電極印加電圧１３Ａを画像表示素子１へ入力するようになっている。ゲート電極駆動部１４は、画像表示素子１に接続されており、ゲート電極印加電圧１４Ａを画像表示素子１へ入力するようになっている。
【００２６】
映像信号処理部１１は、デジタル映像信号１０Ａに対して画質調整などの各種信号処理を行うとともに、デジタル映像信号１０Ａに含まれる水平同期信号１１Ｂおよび垂直同期信号１１Ｃを抽出するようになっている。制御信号生成部１２は、画像表示素子１において画像を表示するのに必要なタイミングパルスをカソード電極駆動部１３、ゲート電極駆動部１４および補正電圧生成部１５に入力するようになっている。カソード電極駆動部１３は、第ｎ行目の映像信号に対応した変調信号としてカソード電極印加電圧１３Ａを各カソード電極２０に対してほぼ一斉に印加するためのものである。補正電圧生成部１５は、以下で詳述するが、ゲート電極２１に印加する電圧を制御するために用いられる補正電圧１５Ａ（＝ＶｒｏｗＡ）を生成するようになっている。ゲート電極駆動部１４は、基準電圧１４−２（＝Ｖｒｏｗ）から補正電圧１５Ａ（＝ＶｒｏｗＡ）を引いた映像適応電圧１４Ａ（＝Ｖｒｏｗ（Ｒｊ）＝Ｖｒｏｗ−ＶｒｏｗＡ）を走査信号として各ゲート電極に順次印加するようになっている。
【００２７】
ここで、カソード電極２０は本発明における「第１の電極」の一具体例に相当し、ゲート電極２１は本発明における「第２の電極」の一具体例に相当する。また、カソード電極印加電圧１３Ａは本発明における「画素電圧」の一具体例に相当し、カソード電極駆動部１３は本発明における「第１の電極駆動手段」の一具体例に相当し、ゲート電極駆動部１４は本発明における「第２の電極駆動手段」の一具体例に相当する。また、基準電圧１４−２は本発明における「第１の電圧」の一具体例に相当し、補正電圧１５Ａは本発明における「第２の電圧」の一具体例に相当する。
【００２８】
図４は、ゲート電極駆動部１４および補正電圧生成部１５の細部構成を表すものである。
【００２９】
補正電圧生成部１５は、輝度変換部１５−１と、平均輝度演算部１５−２と、補正データ生成部１５−３と、タイミング制御部１５−６と、Ｄ／Ａ変換部１５−７と、電圧増幅部１５−８とを含んでいる。輝度変換部１５−１は、映像信号処理部１１（図１）から入力された１画素分の映像信号１１Ｄに輝度変換処理を行って輝度成分信号１５Ｃ（＝ｙ）を生成し、これを平均輝度演算部１５−２に入力するようになっている。平均輝度演算部１５−２は、輝度成分信号１５Ｃに基づいて平均輝度１５Ｄ（＝Ｙ）を算出し、これを補正データ生成部１５−３に入力するようになっている。補正データ生成部１５−３は、平均輝度演算部１５−２から出力された平均輝度１５Ｄと、予め設定されたゲイン係数１５−４およびオフセットデータ１５−５とに基づいて補正データ１５Ｆを生成し、これをＤ／Ａ変換部１５−７に入力するようになっている。Ｄ／Ａ変換部１５−７は、補正データ生成部１５−３から出力されたディジタルの補正データ１５Ｆをアナログの補正電圧１５Ｇに変換し、電圧増幅部１５−８に入力するようになっている。電圧増幅部１５−８は、Ｄ／Ａ変換部１５−７から出力された補正電圧１５Ｇを所定のレベルまで増幅し、これを補正電圧１５Ａ（＝ＶｒｏｗＡ）としてゲート電極駆動部１４の電圧減算部１４−１に入力するようになっている。タイミング制御部１５−６は、制御信号生成部１２（図１）から供給される水平同期信号１１２Ｄおよび垂直同期信号１２Ｅに基づいて、ゲート電極選択用シフトクロック１５Ｂとラッチ信号１５Ｅ（＝ＶＴＩＭ）とを生成する。ラッチ信号１５Ｅは補正データ生成部１５−３に供給され、ゲート電極選択用シフトクロック１５Ｂは、ゲート電極駆動部１４に入力されるようになっている。
【００３０】
ゲート電極駆動部１４は、補正電圧生成部１５の電圧増幅部１５−８に接続された電圧減算部１４−１と、この電圧減算部１４−１と画像表示素子１の間に設けられたゲート電極選択部１４−３とを含んでいる。電圧減算部１４−１は、補正電圧生成部１５の電圧増幅部１５−８から出力された補正電圧１５Ａを、基準電圧１４−２（＝Ｖｒｏｗ）から差し引く演算を行い、その演算結果１４Ｂをゲート電極選択部１４−３に入力するようになっている。ゲート電極選択部１４−３は、制御信号生成部１２（図１）からのゲート電極駆動開始パルス１２Ｃとタイミング制御部１５−６からのゲート電極選択用シフトクロック１５Ｂとに基づいて、電圧減算部１４−１からの演算結果１４Ｂを映像適応電圧１４Ａとして出力し、画像表示素子１の各ゲート電極２１に順次印加するようになっている。
【００３１】
次に、以上のような構成の画像表示装置の動作を説明する。
【００３２】
まず、発光原理および階調表示について説明する。カソード電極２０に対してカソード電極印加電圧１３Ａ（＝Ｖｃｏｌ（Ｃｉ，Ｒｊ））を印加するとともに、ゲート電極２１に対して映像適応電圧１４Ａ（＝Ｖｒｏｗ（Ｒｊ））を印加する。これにより、カソード電極を基準として第ｊ行目のゲート電極２１（＝Ｒｊ）とカソード電極２０との間に、ゲートカソード間電圧Ｖｇｃ（ｉ，ｊ）＝Ｖｃｏｌ（Ｃｉ，Ｒｊ）−Ｖｒｏｗ（Ｒｊ）が印加される。すると、これにより発生する電界によって、カソード素子２５から電子２９が放出される（図２参照）。このとき、アノード電極２８に対して電圧ＨＶ（＞Ｖｒｏｗ  （Ｒｊ）を印加しておくと、電子２９はアノード電極２７に引きつけられ、衝突する。これによりアノード電流Ｉａがアノード電極２８からカソード電極２２に向かう方向に流れる。この時、アノード電極２８の上に蛍光体層２７が塗布されているので、電子の衝突エネルギーに応じて蛍光体層２７が発光する。なお、以下の説明では、適宜、ゲートカソード間電圧Ｖｇｃ（ｉ，ｊ）を「ゲートカソード間電圧Ｖｇｃ」または単に「電圧Ｖｇｃ」とも記すものとする。
【００３３】
図５は、ゲートカソード間電圧Ｖｇｃとアノード電流Ｉａとの関係（電子放出特性）を表したものである。この図から、この電子放出特性は、ゲートカソード間電圧Ｖｇｃが遮断電圧４０以下になると発光に寄与する電子がほとんど放出されなくなり、逆に遮断電圧４０より大きくなると発光に寄与する電子が放出されるようになるという特徴を有していることが分かる。そこで、この特徴を利用して階調表示を行なう。
【００３４】
例えば、ゲート電極駆動部１４が第ｊ行目のゲート電極を選択（例えばＶｒｏｗ（Ｒｊ）＝３５Ｖに設定）したとする。この場合、カソード電極印加電圧１３Ａ（＝Ｖｃｏｌ  （Ｃｉ，Ｒｊ））が高階調（例えば０Ｖ）のときは、ゲートカソード間電圧Ｖｇｃ（ｉ，ｊ）＝Ｖｃｏｌ（Ｃｉ，Ｒｊ）−Ｖｒｏｗ（Ｒｊ）は、例えば３５Ｖとなる。図５から、このときのカソード素子２５から放出される電子の量（電流Ｉａ）が多いことから、蛍光体層２７の発光は高輝度となる。一方、カソード電極印加電圧１３Ａ（＝Ｖｃｏｌ（Ｃｉ，Ｒｊ））が低階調（例えば１５Ｖ）のときは、カソード電極印加電圧Ｖｇｃ（ｉ，ｊ）＝Ｖｃｏｌ（Ｃｉ，Ｒｊ）−Ｖｒｏｗ（Ｒｊ）は、例えば２０Ｖとなる。このときのカソード電極印加電圧Ｖｇｃ（ｉ，ｊ）は、遮断電圧４０の近傍であり、カソード素子２５から放出される電子の量（電流Ｉａ）は微小であることから、蛍光体層２７の発光はほとんど起こらず、低輝度となる。カソード電極印加電圧１３Ａ（＝Ｖｃｏｌ（Ｃｉ，Ｒｊ））を入力映像信号レベルに応じて０〜１５Ｖで制御することにより、所望の階調表示を行なうことができる。
【００３５】
ところで、上述のような階調表示において、遮断電圧４０近傍の電圧を印加すると、上述のように発光に寄与する電子はほとんど放出されないが、実際にはわずかに電子が放出されるので、遮断電圧４０近傍の電圧を印加しただけでは発光輝度を完全にゼロにすることはできない。このため、特に、画面全体の輝度が比較的高い映像を表示する際に、遮断電圧４０の近傍の電圧を印加して一部領域について黒表示を行なった場合には、見た目に黒色が浮いたような感じになり、コントラストが低下してしまう。一方、画面全体の輝度が比較的低い映像を表示する際には、遮断電圧４０の近傍の電圧であっても、上記のような見た目に黒色が浮いたような感じにはならない。
【００３６】
そこで、本実施の形態では、このような画質の特徴に着目して、階調表示に用いることができるゲートカソード間電圧Ｖｇｃの幅を一定に保ちつつ、１画面における映像の明るさに応じて、階調表示に用いることができるゲートカソード間電圧Ｖｇｃの範囲（すなわち、狭義のダイナミックレンジ）を適宜スライド（平行移動）させて、階調表示を行なう。特に、画面全体の輝度が比較的高い映像を表示するときには、遮断電圧４０よりもいくぶん低い電圧を印加することができるように、ゲートカソード間電圧Ｖｇｃにおける狭義のダイナミックレンジを電圧が低い方へスライドさせて階調表示を行なうように工夫している。この点については、後述する。
【００３７】
次に、図１および図６（Ａ）〜（Ｇ）〜図８を参照して、表示素子駆動部２の動作を説明する。
【００３８】
図６（Ａ）〜（Ｇ）は、表示素子駆動部２における主な信号のタイミングを表すものである。横軸は時間、縦軸は電圧を示す。図７（Ａ）〜（Ｂ）は、ある行（第ｊ行目）についてのカソード電極印加電圧１３Ａと映像適応電圧１４Ａとの関係を表したものである。横軸はＸ方向に並んだカソード電極の番号を示し、縦軸は電圧を示す。なお、図７では、説明の簡略化のため、Ｒ（赤）用のカソード電極ＣＲｉ（ｉ＝１〜ｍ）についてのみ示している。図８は、図６（Ａ）〜（Ｇ）における映像適応信号１４Ａの変化を数画面にわたって表したものである。
【００３９】
まず、Ａ／Ｄ変換部１０は、アナログ映像信号９Ａをデジタル映像信号１０Ａに変換する。ここで、デジタル映像信号１０Ａは、例えばＲ（赤）、Ｇ（緑）、Ｂ（青）の各８ビットのデジタル映像信号とともに、水平同期信号１１Ｂおよび垂直同期信号１１Ｃを含んでいる。Ａ／Ｄ変換部１０は、そのデジタル映像信号１０Ａを映像信号処理部１１へ入力する。
【００４０】
映像信号処理部１１は、入力されたデジタルの映像信号１０Ａに対して画質調整などの各種の信号処理を行うと共に、デジタル映像信号１０Ａから水平同期信号１１Ｂおよび垂直同期信号１１Ｃを抽出し、制御信号生成部１２へ入力する。映像信号処理部１１はまた、図示しない基準クロックに同期して１行分（ここでは、第ｊ行目とする。）の映像信号１１Ａ（図６（Ｂ））をカソード電極駆動部１３へ入力する。カソード電極駆動部１３は、映像信号１１Ａを取り込んで一時保存する。
【００４１】
制御信号生成部１２は、水平同期信号１１Ｂおよび垂直同期信号１１Ｃに基づいて、カソード電極駆動部１３における映像取込開始タイミングを指示する映像信号取込開始パルス１２Ａ（図６（Ａ））をカソード電極駆動部１３へ入力する。制御信号生成部１２はまた、水平同期信号１１Ｂおよび垂直同期信号１１Ｃに基づいて、カソード電極駆動部１３で一時保存されている第ｊ行目の映像信号１１Ａを画像表示素子１へ出力命令するためのカソード電極駆動開始パルス１２Ｂ（図６（Ｃ））をカソード電極駆動部１３へ入力する。
【００４２】
カソード電極駆動部１３は、カソード電極駆動開始パルス１２Ｂに同期して、第ｊ行目の映像信号に対応した変調信号としてのカソード電圧印加電圧１３Ａ（図６（Ｄ））を画像表示素子１の各カソード電極２０へほぼ一斉に出力する。すると、例えば図７に示したようなカソード電圧印加電圧１３Ａ（＝Ｖｃｏｌ（Ｃｉ，Ｒｊ））が、カソード電極に出力される。
【００４３】
一方、映像信号処理部１１は、１画素分の映像信号１１Ｄを補正電圧生成部１５へ入力する。制御信号生成部１２は、水平同期信号１２Ｄおよび垂直同期信号１２Ｅを補正電圧生成部１５へ入力する。補正電圧生成部１５は、これらの入力信号に基づいて、映像信号の輝度成分の量に応じて補正電圧１５Ａ（＝ＶｒｏｗＡ）を生成し、その補正電圧１５Ａをゲート電極駆動部１４へ入力するとともに、ゲート電極選択用シフトクロック１５Ｂ（図６（Ｅ））をゲート電極駆動部１４へ入力する。ゲート電極駆動部１４は、基準電圧１４−２（＝Ｖｒｏｗ）から補正電圧１５Ａ（＝ＶｒｏｗＡ）を減算する。さらにゲート電極駆動開始パルス１２Ｃ（図６（Ｆ））が制御信号発生部１２から入力されている場合には、ゲート電極選択用シフトクロック１５Ｂに同期して基準電圧１４−２から補正電圧１５Ａを減算した映像適応電圧１４Ａ（＝Ｖｒｏｗ（Ｒｊ），図６（Ｇ））を第１行目のゲート電極２１へ出力する。ゲート電極駆動開始パルス１２Ｃが制御信号発生部１２から入力されていない場合には、ゲート電極選択用シフトクロック１５Ｂに同期して基準電圧１４−２から補正電圧１５Ａを減算した映像適応電圧１４Ａを第ｊ行目のゲート電極２１へ出力する。
【００４４】
以上のステップをゲート電極の数ｎだけ繰り返す。これにより、１画面の映像を表示するための処理が完了する。なお、上記以外の方法を用いて各信号の同期を取ることにより１画面の映像を表示するようにしてもよい。
【００４５】
以上で述べた１画面の映像を表示するための処理を繰り返し行うことにより、画像表示装置において複数画面の映像を連続的に表示することができる。なお、このように１画面を表示するための処理を繰り返し行った場合、ゲート電極２１へ出力される映像適応電圧１４Ａ（＝Ｖｒｏｗ（Ｒｊ））の波高値は、映像信号により表現される映像の明るさに応じて変化するので、例えば図８に示したように１画面ごとに変化しうる。
【００４６】
次に、図４および図９（Ａ）〜（Ｄ）〜図１２（Ａ）〜（Ｂ）を参照して、補正電圧生成部１５およびゲート電極駆動部１４の動作を詳細に説明する。
【００４７】
図９（Ａ）〜（Ｄ）は、画面内の実際の輝度分布と、平均輝度演算部１５−２（図４）の出力である平均輝度１５Ｄの変化の様子との関係を示す一具体例である。具体的には、図９（Ａ）は画面内の実際の輝度分布パターンの一例を示し、図９（Ｂ）はこのときの輝度成分信号ｙを示し、図９（Ｃ）は演算により得られた平均輝度１５Ｄを示し、図９（Ｄ）はラッチ信号１５Ｅ（＝ＶＴＩＭ）を示す。なお、図９（Ｂ）において、横軸は画面の縦方向Ｙ（すなわち、ゲート電極２１（＝Ｒ１〜Ｒｎ）の配列方向）を示し、縦軸は輝度レベルを示す。また、図９（Ｃ）において、横軸は時間、縦軸は平均輝度レベルを示し、図９（Ｄ）において、横軸は時間、縦軸はパルス波高値を示す。
【００４８】
輝度変換部１５−１（図４）は、画素（Ｃｉ，Ｒｊ）について映像処理信号部１１から入力されたＲ，Ｇ，Ｂのコンポーネント信号である映像信号１１Ｄから輝度成分信号１５Ｃ（＝ｙ）へのマトリクス変換を行う。ここでは、例えば、映像信号の輝度成分表現としてよく知られている変換式Ｙ＝０．３Ｒ＋０．５９Ｇ＋０．１１Ｂを用いる。なお、映像信号の輝度成分としては、上記の変換式で用いられている重み係数とは異なる重み係数をもつ変換式や、単純和信号（Ｒ＋Ｇ＋Ｂ）、またはＲ，Ｇ，Ｂのいずれか１つの信号のみを用いてもよい。さらに、１画面のうち一定以上の明るさの領域が占める割合に基づいて決定される、いわゆるヒストグラムと呼ばれる物理量を用いてもよい。
【００４９】
平均輝度演算部１５−２は、輝度変換部１５−１で得られた輝度成分信号１５Ｃにフィルタリングを施すことにより、画素（Ｃｉ，Ｒｊ）の平均輝度１５Ｄを求める。ここで使用するフィルタは非常にカットオフ周波数の低いもの（１Ｈｚ程度）であり、図９（Ｃ）に示すように、入力の輝度成分信号１５Ｃの変化に対し非常に緩やかな応答をする。そのようなフィルタを用いる理由としては、あまりにも急峻に映像適応電圧１４Ａ（＝Ｖｒｏｗ  （Ｒｊ））が変動すると、フリッカやシェーディングを引き起こしてしまうことがあげられる。なお、フィルタリング以外の方法を用いて平均輝度１５Ｄを求めるようにしてもよい。
【００５０】
補正データ生成部１５−３では、必要に応じて、平均輝度演算部１５−２からの平均輝度１５Ｄに対して、ゲイン乗算またはオフセット加算の少なくとも一方の処理を行う。具体的には、平均輝度１５Ｄにゲイン係数１５−４を乗ずることによって、平均輝度１５Ｄの変動に対する制御感度（すなわち、平均輝度１５Ｄの変化に対する補正電圧１５Ａ（＝ＶｒｏｗＡ）の変化の度合い）を調整することができる。また、平均輝度１５Ｄに対してオフセットデータ１５−５を加減算することによって、補正電圧１５Ａの変動域の下端をどこにするかを変更することができる。以下、例えば図１０に示したような変換式Ｆ１，Ｆ２を用いた場合を例にとり説明する。なお、図１０は、平均輝度１５Ｄを補正データ１５Ｆに変換する関数（変換式）の一例を表すものであり、横軸は平均輝度１５Ｄを示し、縦軸は補正データ１５Ｆを示す。
【００５１】
第１の変換式Ｆ１では、ゲイン係数＝２／１００、オフセットデータ＝０  となっており、例えば平均輝度１５Ｄが５０％の場合に補正データ１５Ｆは１となる。第２の変換式Ｆ２では、平均輝度が０〜５０％の範囲でゲイン係数＝０、平均輝度が５０〜１００％の範囲でゲイン係数＝２／５０、オフセットデータ＝−２となっており、例えば平均輝度１５Ｄが５０％の場合に補正データ１５Ｆは０となる。第１の変換式Ｆ１を用いた場合には、平均輝度の変化範囲の全体にわたって映像画質を調整することができる一方、第２の変換式Ｆ２を用いた場合には、平均輝度が高い範囲でのみ映像画質を調整することができる。ここに挙げた数値例はあくまで一例であり、ユーザはゲイン係数１５−４またはオフセットデータ１５−５を任意に設定し、様々な変換式を用いて平均輝度１５Ｄを補正データ１５Ｆに変換することにより、映像を好みの画質に調節することができる。
【００５２】
なお、本実施の形態において、例えば図１０における変換式Ｆ１，Ｆ２の傾きが本発明の「ゲイン係数」の一具体例に相当し、変換式Ｆ１，Ｆ２の切片が本発明の「オフセットデータ」の一具体例に相当する。
【００５３】
さて、補正データ生成部１５−３は、タイミング制御部１５−６から入力されるラッチ信号１５Ｅのタイミングで補正データをラッチしてＤ／Ａ変換部１５−７に供給する。ラッチ信号入力後に逐次入力された平均輝度１５Ｄから得られる新たな補正データが補正データ生成部１５−３から出力されることはなく、次のラッチタイミング（ラッチ信号１５Ｅの入力タイミング）までの間、前回のラッチデータ（補正データ）の出力が維持される。
【００５４】
Ｄ／Ａ変換部１５−７は、補正データ生成部１５−３から入力されたディジタルの制御データをアナログ電圧に変換する。電圧増幅部１５−８は、このアナログ電圧を増幅し、得られた補正電圧１５Ａをゲート電極駆動部１４の電圧減算部１４−１に入力する。なお、図４に示した例では、補正電圧１５Ａ（＝ＶｒｏｗＡ）を０Ｖ〜２Ｖの範囲で制御しているが、これとは異なる範囲で制御するようにしてもよい。
【００５５】
ゲート電極駆動部１４の電圧減算部１４−１は、基準電圧１４−２（＝Ｖｒｏｗ）から補正電圧１５Ａ（＝ＶｒｏｗＡ）を減算して、その減算結果をゲート電極選択部１４−３に入力する。上記した例では、Ｖｒｏｗ＝３５Ｖ、ＶｒｏｗＡ＝０〜２Ｖであるから、電圧減算部１４−１から出力される演算結果１４Ｂは、３３Ｖ〜３５Ｖの範囲となる。
【００５６】
補正電圧生成部１５のタイミング制御部１５−６は、ゲート電極選択用シフトクロック１５Ｂをゲート電極駆動部１４のゲート電極選択部１４−３に入力する。ゲート電極選択部１４−３は、電圧減算部１４−１からの演算結果１４Ｂを、映像適応電圧１４Ａとして、ゲート電極選択用シフトクロック１５Ｂに同期して画像表示素子１にゲート電極２１（＝Ｒ１〜Ｒｎ）のうち、選択されたゲート電極Ｒｊへ出力する。ゲート電極の選択方法は、既に述べた通りである。なお、上記した例では、映像適応電圧１４Ａ（＝Ｖｒｏｗ（Ｒｊ））を３３Ｖ〜３５Ｖの範囲で制御しているが、これとは異なる範囲で制御するようにしてもよい。
【００５７】
以上の記載から、平均輝度１５Ｄが高いほど補正電圧１５Ａ（＝ＶｒｏｗＡ）が高くなり、その結果、映像適応電圧１４Ａ（＝Ｖｒｏｗ（Ｒｊ））が低くなることが分かる。図１１（Ａ）〜（Ｂ）は、平均輝度１５Ｄが高輝度の場合（映像適応電圧１４Ａが低い場合）における映像適応電圧１４Ａと１行分のカソード電極印加電圧１３Ａ（＝Ｖｃｏｌ（Ｃｉ，Ｒｊ））との関係を表すものである。より具体的には、例えば平均輝度１５Ｄが１００％の場合において図１０の第２の変換式Ｆ２を用いたときの一例を示す。この図に示したように、最も低輝度の画素におけるゲートカソード間電圧Ｖｇｃ＿min が１８Ｖとなる一方、最も高輝度である画素におけるゲートカソード間電圧Ｖｇｃ＿max は３３Ｖとなっているのがわかる。すなわち、この場合のゲートカソード間電圧Ｖｇｃのダイナミックレンジは１８Ｖ〜３３Ｖ（幅は１５Ｖ）になる。このように、低輝度の画素に対して印加する電圧を遮断電圧４０( ＝２０Ｖ) よりも低くすることにより、最低輝度表示（黒表示）の際の電子放出を完全に止めることができるので、より美しく黒色を表現することができ、コントラストが向上する。
【００５８】
一方、平均輝度１５Ｄが低いほど補正電圧１５Ａ（＝ＶｒｏｗＡ）が低くなり、その結果、映像適応電圧１４Ａ（＝Ｖｒｏｗ（Ｒｊ））が高くなることが分かる。図１２（Ａ）〜（Ｂ）は、平均輝度１５Ｄが低輝度の場合（映像適応電圧１４Ａが高い場合）における映像適応電圧１４Ａと１行分のカソード電極印加電圧１３Ａ（＝Ｖｃｏｌ（Ｃｉ，Ｒｊ））との関係を表すものである。より具体的には、例えば平均輝度１５Ｄが５０％の場合において図１０の第２の変換式Ｆ２を用いたときの一例を示す。この図に示したように、最も低輝度の画素におけるゲートカソード間電圧Ｖｇｃ＿min が２０Ｖとなる一方、最も高輝度である画素におけるゲートカソード間電圧Ｖｇｃ＿max は３５Ｖとなっているのがわかる。すなわち、この場合におけるゲートカソード間電圧Ｖｇｃのダイナミックレンジは２０Ｖ〜３５Ｖ（幅は１５Ｖ）になる。
【００５９】
このように、本実施の形態では、ゲートカソード間電圧Ｖｇｃのダイナミックレンジの幅（上の例では１５Ｖ）を一定に保った状態で、１画面ごとの映像の明るさに応じてダイナミックレンジの位置をスライドさせている。上記の例では、ゲートカソード間電圧Ｖｇｃのダイナミックレンジを、平均輝度１５Ｄが低いときは２０Ｖ〜３５Ｖ、平均輝度１５Ｄが高いときは１８Ｖ〜３２Ｖ、というように変化させている。結局、ゲートカソード間電圧Ｖｇｃの取り得る範囲、すなわちドライブレンジ４１−２は１８Ｖ〜３５Ｖとなって、その幅は１７Ｖとなり、元のダイナミックレンジよりも拡大する（図５参照）。
【００６０】
なお、ゲートカソード間電圧Ｖｇｃのダイナミックレンジを電圧が低い方へスライドさせると、高輝度表示をすべき画素については十分高い電圧を印加することができなくなるが、実際には電流が大きくなるにつれて輝度飽和が生じるので、高輝度画素に対する印加電圧を多少低くしたとしても輝度への影響は少ない。
【００６１】
一方、図５に比較例（例えば特許文献１）として示したゲートカソード間電圧Ｖｇｃのの取り得る範囲、すなわちドライブレンジ４１−１は、画面の明るさにかかわらず２０Ｖ〜３５Ｖというダイナミックレンジに固定されていることから、低輝度の画素に対して遮断電圧４０（＝２０Ｖ）よりも低い電圧を印加することができない。
【００６２】
これに対し、本実施の形態では、画面の明るさに応じてダイナミックレンジを随時スライドさせることにより、時々刻々変化する映像の総合的なドライブレンジ４１−２（上の例では１７Ｖ）を比較例のドライブレンジ４１−１（上の例では１５Ｖ）よりも拡大し、低輝度の画素に対して遮断電圧４０よりも低い電圧を印加することができるようにしている。このため、完全な黒色を再現することができ、黒色が浮いたような感じにならず、見かけ上のコントラストを上げることができる。しかも、ゲートカソード間電圧Ｖｇｃのダイナミックレンジ自体の拡大を行ってはいないので、カソード電極２０を駆動する半導体素子の耐圧を上げる必要がない。
【００６３】
また、本実施の形態によれば、上述のように、映像を表示する際に、高輝度の画素に対して印加するゲートカソード間電圧Ｖｇｃを常時低くするのではなく画面の明るさに応じてダイナミックレンジをスライドさせるようにしていること、および、高輝度画素に印加するゲートカソード間電圧Ｖｇｃが多少低くなったとしても輝度への影響は少ないことから、画面全体の輝度低下を抑制することができる。
【００６４】
すなわち、本実施の形態によれば、映像信号により表現される映像の明るさに応じた映像適応電圧１４Ａをゲート電極２１に印加することにより、画面の明るさに応じてダイナミックレンジをスライドさせるようにしたので、カソード電極２０を駆動する半導体素子の耐圧を上げることなく、かつ、画面全体の輝度低下を抑えつつ、見かけ上のコントラストを高めることができる。
【００６５】
以上、実施の形態およびその変形例を挙げて本発明を説明したが、本発明は、これに限定されず、種々の変形が可能である。例えば、本実施の形態では、本実施の形態では、駆動方式をパッシブマトリクスとしたが、これに代えて、アクティブマトリクスとしてもよい。また、本実施の形態では、画像表示素子１が電界放出型ディスプレイである場合について説明したが、本発明はこれに限定されず、例えば有機ＥＬ（エレクトロルミネセンス）ディスプレイやＬＣＤ（液晶表示素子）などの画像表示装置にも適用することができる。
【図面の簡単な説明】
【００６６】
【図１】本発明の一実施の形態に係る画像表示装置の概略構成を表すブロック図である。
【図２】図１における画像表示素子の構造を表す断面図である。
【図３】図１における画像表示素子の構造を表す斜視図である。
【図４】図１における補正電圧生成部およびゲート電極駆動部の構成を表すブロック図である。
【図５】図１における画像表示素子の電子放出特性を表す図である。
【図６】図１における表示素子駆動部の主な信号のタイミング図である。
【図７】図１における画像表示素子に印加されるカソード電極印加電圧と映像適応電圧との関係を示す波形図である。
【図８】映像適応信号を数周期にわたって示す波形図である。
【図９】平均輝度の変化を示す波形図である。
【図１０】平均輝度を補正データに変換する関数の例を示す図である。
【図１１】平均輝度が高輝度の場合におけるカソード電極印加電圧と映像適応電圧との関係を示す波形図である。
【図１２】平均輝度が低輝度の場合におけるカソード電極印加電圧と映像適応電圧との関係を示す波形図である。
【符号の説明】
【００６７】
１…画像表示素子、２…表示素子駆動部、９Ａ…アナログ映像信号、１０…Ａ／Ｄ変換部、１０Ａ…デジタル映像信号、１１…映像信号処理部、１１Ａ…第ｊ行目の映像信号、１１Ｂ…水平同期信号、１１Ｃ…垂直同期信号、１１Ｄ…１画素分の映像信号、１２…制御信号生成部、１２Ａ…映像信号取込開始パルス、１２Ｂ…カソード電極駆動開始パルス、１２Ｃ…ゲート電極駆動開始パルス、１２Ｄ…水平同期信号、１２Ｅ…垂直同期信号、１３…カソード電極駆動部、１３Ａ…カソード電極印加電圧、１４…ゲート電極駆動部、１４−１…電圧減算部、１４−２…基準電圧、１４−３…ゲート電極選択部、１４Ａ…映像適応電圧、１５…補正電圧生成部、１５−１…輝度変換部、１５−２…平均輝度演算部、１５−３…補正データ生成部、１５−４…ゲイン係数、１５−５…オフセットデータ、１５−６…タイミング制御部、１５−７…Ｄ／Ａ変換部、１５−８…電圧増幅部、１５Ａ，１５Ｇ…補正電圧、１５Ｂ…ゲート電極選択用シフトクロック、１５Ｃ…輝度成分信号、１５Ｄ…平均輝度、１５Ｅ…ラッチ信号、１５Ｆ…補正データ、２０…カソード電極、２１…ゲート電極、２２…支持体、２３…抵抗層、２４…絶縁層、２５…カソード素子、２６…アノード基板、２７…蛍光体層、２７Ｂ…Ｂ用蛍光体層、２７Ｇ…Ｇ用蛍光体層、２７Ｒ…Ｒ用蛍光体層、２８…アノード電極、２９…電子、３０…孔、３１…アノードパネル、３２…カソードパネル、３３…電子放出領域、３４…発光、３５…ブラックマトリクス、４０…遮断電圧、４１−１…比較例のドライブレンジ、４１−２…本発明のドライブレンジ。
【図１】
2006039246.tif 000003
【図２】
2006039246.tif 000004
【図３】
2006039246.tif 000005
【図４】
2006039246.tif 000006
【図５】
2006039246.tif 000007
【図６】
2006039246.tif 000008
【図７】
2006039246.tif 000009
【図８】
2006039246.tif 000010
【図９】
2006039246.tif 000011
【図１０】
2006039246.tif 000012
【図１１】
2006039246.tif 000013
【図１２】
2006039246.tif 000014